(57)【要約】【課題】電気機器からの余った電源コードを見た目が良く整理できる電源コード収納具を提供する。【解決手段】電源コード収納具１は、余った電源コード３１が外周に巻き付けられる軸体２と、この軸体２の外周に設けられ、電源コード３１の巻付け開始部分、巻付け終了部分がそれぞれ引掛けられる第１、第２の突片５、６と、軸体２における一端部３の端面に取り付けられた板状の磁石７と、より成る。【選択図】図４
2007234929.tif 000002
【特許請求の範囲】
【請求項１】
電気機器からの電源コードを収納する電源コード収納具であって、
前記電源コードが外周に巻き付けられる軸体と、
この軸体の外周に設けられ、前記電源コードの巻付け開始部分、巻付け終了部分がそれぞれ引掛けられる一対の突片と、
前記軸体における両端部のうちの一端部の端面にビスによって取り付けられた板状の磁石と、より成り、
前記軸体は、
前記電源コードの電源プラグが差し込まれるプラグ差込み口と、
外部の電源コンセントに接続される着脱可能な接続コードと、
この接続コードを通じて入力される電源コンセントからの電圧を変圧して、前記プラグ差込み口に差し込まれた前記電源コードへ出力する変圧器と、
前記軸体の前記他端部の外周に沿って回転されることで、前記変圧器による入出力の電圧値を設定する設定ノブと、を備え、
前記プラグ差込み口が、前記軸体における両端部のうちの他端部の端面に設けられていて、
前記軸体の前記他端部の端面に、
前記変圧器による入出力の電圧値を表示する表示部と、
前記変圧器のオン／オフを切り替えるスイッチと、を備えることを特徴とする電源コード収納具。
【請求項２】
電気機器からの電源コードを収納する電源コード収納具であって、
前記電源コードが外周に巻き付けられる軸体と、
この軸体の外周に設けられ、前記電源コードの巻付け開始部分、巻付け終了部分がそれぞれ引掛けられる一対の突片と、
前記軸体における両端部のうちの一端部の端面に取り付けられた板状の磁石と、より成ることを特徴とする電源コード収納具。
【請求項３】
電気機器からの電源コードを収納する電源コード収納具であって、
前記電源コードが外周に巻き付けられる軸体と、
この軸体の外周に設けられ、前記電源コードの巻付け開始部分、巻付け終了部分がそれぞれ引掛けられる一対の突片と、
前記軸体における両端部のうちの一端部の端面に貼り付けられた両面粘着テープと、より成ることを特徴とする電源コード収納具。
【請求項４】
前記軸体に対して前記磁石がビスによって取り付けられていることを特徴とする請求項２に記載の電源コード収納具。
【請求項５】
前記軸体は、前記電源コードの電源プラグが差し込まれるプラグ差込み口を備えることを特徴とする請求項２〜４のいずれかに記載の電源コード収納具。
【請求項６】
前記プラグ差込み口が、前記軸体における両端部のうちの他端部の端面に設けられていることを特徴とする請求項５に記載の電源コード収納具。
【請求項７】
前記軸体は、
外部の電源コンセントに接続される接続コードと、
この接続コードを通じて入力される電源コンセントからの電圧を変圧して、前記プラグ差込み口に差し込まれた前記電源コードへ出力する変圧器と、を備えることを特徴とする請求項５又は６に記載の電源コード収納具。
【請求項８】
前記軸体に対して前記接続コードを着脱可能に備えることを特徴とする請求項７に記載の電源コード収納具。
【請求項９】
前記軸体の前記他端部の外周に沿って回転されることで、前記変圧器による入出力の電圧値を設定する設定ノブを備えることを特徴とする請求項７又は８に記載の電源コード収納具。
【請求項１０】
前記軸体の前記他端部の端面に、前記変圧器による入出力の電圧値を表示する表示部を備えることを特徴とする請求項９に記載の電源コード収納具。
【請求項１１】
前記軸体の前記他端部の端面に、前記変圧器のオン／オフを切り替えるスイッチを備えることを特徴とする請求項７〜１０のいずれかに記載の電源コード収納具。
【発明の詳細な説明】
【技術分野】
【０００１】
本発明は、パーソナルコンピュータやプリンタやオーディオ機器等といった種々の電気機器からの余った電源コードを整理するための電源コード収納具に関する。
【背景技術】
【０００２】
電気機器には、駆動するのに電気が必要であり、その電気は室内の壁や床等に設置されている電源コンセントより電源コードを介して供給される。ここでの電源コードは個々の電気機器から導き出され、その電源コードの電源プラグは、電源コンセントに直接差し込まれたり、電源コンセントに接続されたテーブルタップに差し込まれたりする。
【０００３】
ところで、電気機器が据えられた場所によっては、その電気機器からの電源コードが長すぎて余る場合がある。この場合に、余った電源コードがそのまま乱雑に床上に放置されていると、見た目が悪いだけでなく、その電源コードを踏んづけて電源コードが傷付いたり、その電源コードに身体を引掛けて電源コードが不用意に引き抜かれたりするおそれがある。また、机上やラック内に置かれている電気機器にとっては、身体を引掛けた電源コードにその電気機器が引っ張られて落下してしまい、破損に至るおそれもある。更に、その余った電源コードに、他の電気機器からの別の電源コードが絡まってしまうおそれもある。
【０００４】
このような問題に対処する手法として、従来は、余った電源コードを適宜折り畳み、紐等で縛って束ねていた。
【０００５】
一方で、例えば特許文献１には、電気機器からの電源コードと、室内コンセントとの間に介在される変圧器が開示されており、この変圧器から導き出されて室内コンセントに接続される接続コードが変圧器そのものに収納されるようになっている。
【特許文献１】特開２００４−１５２７９５号公報
【発明の開示】
【発明が解決しようとする課題】
【０００６】
しかし、余った電源コードを束ねる手法については、束ねた部分を床上に放置したままでは、決して見た目が良いとはいえない。また、束ねた部分を電源コードの途中で吊るすようにしても、やはり見た目が良いとはいえないし、その束ねた部分の自重によって、電源コードの特に電気機器との接続部に予定しない負荷がかかるという弊害も生じる。
【０００７】
一方、変圧器を電源コードと室内コンセントとの間に介在させる手法では、電気機器からの電源コードの電源プラグは変圧器の有するプラグ差込み口に差し込まれるが、余った電源コードについては何ら処理されるわけではない。そうすると、余った電源コードによる上記の問題は依然残る。
【０００８】
そこで本発明は、上記の問題に鑑みてなされたものであり、電気機器からの余った電源コードを見た目が良く整理できる電源コード収納具を提供することを目的とするものである。
【課題を解決するための手段】
【０００９】
上記目的を達成するため、本発明による電源コード収納具は、電気機器からの電源コードを収納する電源コード収納具であって、前記電源コードが外周に巻き付けられる軸体と、この軸体の外周に設けられ、前記電源コードの巻付け開始部分、巻付け終了部分がそれぞれ引掛けられる一対の突片と、前記軸体における両端部のうちの一端部の端面にビスによって取り付けられた板状の磁石と、より成り、前記軸体は、前記電源コードの電源プラグが差し込まれるプラグ差込み口と、外部の電源コンセントに接続される着脱可能な接続コードと、この接続コードを通じて入力される電源コンセントからの電圧を変圧して、前記プラグ差込み口に差し込まれた前記電源コードへ出力する変圧器と、前記軸体の前記他端部の外周に沿って回転されることで、前記変圧器による入出力の電圧値を設定する設定ノブと、を備える。更に、前記プラグ差込み口が、前記軸体における両端部のうちの他端部の端面に設けられていて、前記軸体の前記他端部の端面に、前記変圧器による入出力の電圧値を表示する表示部と、前記変圧器のオン／オフを切り替えるスイッチと、を備えている。
【００１０】
このようにすれば、電気機器からの余った電源コードを軸体に巻き付けて整理できる。しかも、電気機器が据えられている机やラックの側板や脚が金属製である場合、その側板や脚に軸体と一体の磁石を磁着させることで、電源コードが巻き付けられた軸体を固定でき、見た目が良くなる。
【００１１】
また、上記目的を達成するための本発明による電源コード収納具は、電気機器からの電源コードを収納する電源コード収納具であって、前記電源コードが外周に巻き付けられる軸体と、この軸体の外周に設けられ、前記電源コードの巻付け開始部分、巻付け終了部分がそれぞれ引掛けられる一対の突片と、前記軸体における両端部のうちの一端部の端面に取り付けられた板状の磁石と、より成る。
【００１２】
このようにすれば、電気機器からの余った電源コードを軸体に巻き付けて整理できる。しかも、電気機器が据えられている机やラックの側板や脚が金属製である場合、その側板や脚に軸体と一体の磁石を磁着させることで、電源コードが巻き付けられた軸体を固定でき、見た目が良くなる。
【００１３】
また、上記目的を達成するための本発明による電源コード収納具は、電気機器からの電源コードを収納する電源コード収納具であって、前記電源コードが外周に巻き付けられる軸体と、この軸体の外周に設けられ、前記電源コードの巻付け開始部分、巻付け終了部分がそれぞれ引掛けられる一対の突片と、前記軸体における両端部のうちの一端部の端面に貼り付けられた両面粘着テープと、より成る。
【００１４】
このようにすれば、電気機器からの余った電源コードを軸体に巻き付けて整理できる。しかも、電気機器が据えられている机やラックの側板や脚に軸体と一体の両面粘着テープを接着させることで、電源コードが巻き付けられた軸体を固定でき、見た目が良くなる。
【００１５】
ここで、軸体に対する磁石の取付け容易性を踏まえると、前記軸体に対して前記磁石がビスによって取り付けられているとよい。
【００１６】
また、前記軸体は、前記電源コードの電源プラグが差し込まれるプラグ差込み口を備えることが好ましい。ここでの前記プラグ差込み口が、前記軸体における両端部のうちの他端部の端面に設けられているとよい。
【００１７】
更に、より実用的には、前記軸体は、外部の電源コンセントに接続される接続コードと、この接続コードを通じて入力される電源コンセントからの電圧を変圧して、前記プラグ差込み口に差し込まれた前記電源コードへ出力する変圧器と、を備えるとよい。
【００１８】
ここでは、前記軸体に対して前記接続コードを着脱可能に備えるとよい。
【００１９】
更に、前記軸体の前記他端部の外周に沿って回転されることで、前記変圧器による入出力の電圧値を設定する設定ノブを備えることが好ましい。
【００２０】
更に、前記軸体の前記他端部の端面に、前記変圧器による入出力の電圧値を表示する表示部を備えることが好ましい。
【００２１】
そして、前記軸体の前記他端部の端面に、前記変圧器のオン／オフを切り替えるスイッチを備えるとよい。
【発明の効果】
【００２２】
本発明の電源コード収納具によれば、電気機器からの余った電源コードを見た目が良く整理できる。
【発明を実施するための最良の形態】
【００２３】
以下に、本発明の電源コード収納具の一実施形態について、図面を参照しながら詳述する。図１は本発明の一実施形態である電源コード収納具の外観を示す側面図、図２はその電源コード収納具を一端面側から見た平面図、図３はその電源コード収納具を他端面側から見た平面図、図４はその電源コード収納具の使用状態の一例を示す側面図、図５はその電源コード収納具の使用状態の別例を示す側面図である。
【００２４】
図１〜図３に示すように、電源コード収納具１は、プラスチック製で円柱状の軸体２より外形が構成され、この軸体２の両端部のうちの一端部３、他端部４は、いずれも軸体２より一段太くなっている。この軸体２の外周に、後述する電気機器３０からの電源コード３１が巻き付けられる。軸体２の外周からは、一端部３の近傍に第１の突片５がフック状に突出し、他端部４の近傍に第１の突片５と対になる第２の突片６がフック状に突出している。この第１の突片５、第２の突片６には、後述する電気機器３０からの電源コード３１が引掛けられる。
【００２５】
また、軸体２の一端部３の端面には、円板状の磁石７が一体に取り付けられている。その取付けにはビス８が用いられ（図３参照）、軸体２に対する磁石７の着脱が容易になっている。
【００２６】
一方、軸体２の他端部４には、その端面にプラグ差込み口９が設けられている。このプラグ差込み口９には、後述する電源コード３１の電源プラグ３２の差込みが可能である。なお、ここでのプラグ差込み口９は、世界各国での仕様に準じた種々の電源プラグに対応できるように、マルチタイプの差込み口となっている（図２参照）。
【００２７】
更に本実施形態では、軸体２の他端部４の外周から接続コード２０が導き出されている。ここでの接続コード２０は軸体２に対して着脱可能であって、その接続は、接続コード２０の一端のメガネ型プラグ２１を、軸体２の他端部４の外周に設けられたソケット１０に嵌め込むことで行える。このようなメガネ型プラグ２１とソケット１０との嵌め込みによる接続では、不用意な抜けを防止できる点、抜き差しが容易な点で有効である。この接続コード２０は、その他端のプラグ２２が後述する外部の電源コンセント４０に差し込まれて接続される。
【００２８】
また、軸体２の他端部４には、いわゆるスライダックの変圧器を備える。この変圧器は、接続コード２０を通じて入力される電源コンセント４０からの電圧を、電気機器３０の仕様に見合う適正な電圧に変圧して、プラグ差込み口９に差し込まれた電源コード３１へ出力するものである。ここでの変圧器による入出力の電圧値の設定は、軸体２の他端部４の外周に表出している環状の設定ノブ１１を、他端部４の外周に沿って適宜回転させることで行える。
【００２９】
その設定ノブ１１の回転に従って、変圧器による入出力の電圧値の設定が順次切り替わっていくわけであるが、本実施形態では、その設定値が一見してわかるように、軸体２の他端部４の端面に、その設定値を表示する液晶パネル等の表示部１２が設けられている。この表示部１２は電池で駆動する。また、軸体２の他端部４の端面には、変圧器のオン／オフを切り替えるスライド式のスイッチ１３が設けられている。
【００３０】
続いて、このような電源コード収納具１の使用状態の一例を、図４を参照しながら説明する。ここでは、電気機器３０が机５０の上に据えられている。その机５０の脚５１は、磁石に引き寄せられる性質を有する金属製である。
【００３１】
電気機器３０から導き出された電源コード３１について、その電源プラグ３２を、室内の壁や床等に設置されている電源コンセント４０に差し込んで接続する。もっとも、電源コンセント４０にテーブルタップを接続し、そのテーブルタップに電源プラグ３２を差し込んでも構わない。ここで、長すぎて余った電源コード３１を電源コード収納具１の軸体２の外周に巻き付け、その電源コード３１の巻付け開始部分を第１の突片５に引掛けるとともに、その巻付け終了部分を第２の突片６に引掛ける。こうして、余った電源コード３１は、電源コード収納具１（軸体２）に整然と巻き付けられた状態で保持される。
【００３２】
そして、その電源コード収納具１について、これと一体の磁石７を床面から離れた位置で机５０の脚５１に磁着させる。こうして、余った電源コード３１が軸体２に巻き付けられて保持された電源コード収納具１が、床上に放置されたり、電源コード３１の途中で吊るされたりすることなく、机５０の脚５１に固定される。もっとも、机５０の側板が金属製であるときには、その側板に電源コード収納具１を磁石７による磁着によって固定することも可能である。また、電気機器３０が金属製のラック内に据えられている場合には、そのラックの側板や脚に電源コード収納具１を磁着によって固定することも可能である。
【００３３】
なお、ここでの電源コード収納具１の使用状態では、変圧器はまったく利用されない。従って、スイッチ１３はオフにされ、接続コード２０は取り外されている。
【００３４】
また、このような使用状態から電気機器３０を長期に停止しようとするときには、電源コード３１の電源プラグ３２を電源コンセント４０から抜いて、プラグ差込み口９に差し込んでおけばよい。
【００３５】
引き続いて、電源コード収納具１の使用状態の別例を、図５を参照しながら説明する。ここでも、電気機器３０が机５０の上に据えられており、その机５０の脚５１は金属製である。
【００３６】
電気機器３０から導き出された電源コード３１について、その電源プラグ３２を電源コード収納具１のプラグ差込み口９に差し込む。また、電源コード収納具１に接続コード２０を取り付け、そのプラグ２２を、室内の壁や床等に設置されている電源コンセント４０に差し込んで接続する。もっとも、電源コンセント４０にテーブルタップを接続し、そのテーブルタップにプラグ２２を差し込んでも構わない。ここで、長すぎて余った電源コード３１を電源コード収納具１の軸体２の外周に巻き付け、その電源コード３１の巻付け開始部分を第１の突片５に引掛けるとともに、その巻付け終了部分を第２の突片６に引掛ける。こうして、余った電源コード３１は、電源コード収納具１（軸体２）に整然と巻き付けられた状態で保持される。
【００３７】
そして、その電源コード収納具１について、これと一体の磁石７を床面から離れた位置で机５０の脚５１に磁着させる。こうして、余った電源コード３１が軸体２に巻き付けられて保持された電源コード収納具１が、床上に放置されたり、電源コード３１の途中で吊るされたりすることなく、机５０の脚５１に固定される。もっとも、机５０の側板が金属製であるときには、その側板に電源コード収納具１を磁石７による磁着によって固定することも可能である。また、電気機器３０が金属製のラック内に据えられている場合には、そのラックの側板や脚に電源コード収納具１を磁着によって固定することも可能である。
【００３８】
そして、変換器による入出力の電圧値の設定を行う。具体的には、電気機器３０の仕様の電圧値と、電源コンセント４０からの電圧値とを確認し、表示部１２にその電圧値が表示されるように、設定ノブ１１を回転させる。例えば、電気機器３０が日本国の電圧仕様であって、この電気機器３０を日本国内での電源コンセント４０を用いて使用する場合は、入出力の電圧値はともに１００Ｖが設定される。また、電気機器３０が日本国の電圧仕様であって、この電気機器３０を電源コンセント４０からの電圧値が例えば１２０Ｖである海外で使用する場合は、入力の電圧値が１２０Ｖ、出力の電圧値が１００Ｖに設定される（図２参照）。但しこの場合は、接続コード２０のプラグ２２に市販の差込みピン変換プラグを取り付けた上で、その差込みピン変換プラグを海外の電源コンセント４０に差し込むことになる。もっとも、電気機器３０が海外の電圧仕様であっても構わない。
【００３９】
変換器による入出力の電圧値の設定を終えると、スイッチ１３をオンにして完了する。
【００４０】
このような電源コード収納具１によれば、電気機器３０からの余った電源コード３１を電源コード収納具１に巻き付けて整理できる。しかも、電気機器３０が据えられている机やラックの側板や脚に、床面から離れた位置で、その電源コード収納具１を固定でき、見た目が良くなる。その結果として、余った電源コード３１に身体を引掛けたり、別の電源コードが絡まったりするおそれもなくなるし、電源コード３１の特に電気機器３０との接続部に予定しない負荷がかかることもない。
【００４１】
また、日本国の電圧仕様の電気機器３０からの電源コード３１のみならず、海外の電圧仕様の電気機器３０からの電源コード３１にも、同様に対応できる。
【００４２】
その他本発明は上記の実施形態に限定されず、本発明の趣旨を逸脱しない範囲で、種々の変更が可能である。例えば、上記した磁石７に代えて、軸体２の一端部３の端面に、両面粘着テープを貼り付けても構わない。電源コード収納具１が固定される対象、例えば電気機器３０が据えられている机やラックの側板や脚が、どのような材質であっても、余った電源コード３１が巻き付けられた電源コード収納具１（軸体２）を、これと一体の両面粘着テープによる接着によって、その側板や脚に固定できることには変わりはないからである。
【産業上の利用可能性】
【００４３】
本発明は、電気機器からの電源コードの収納に有用である。
【図面の簡単な説明】
【００４４】
【図１】本発明の一実施形態である電源コード収納具の外観を示す側面図である。
【図２】図１に示す電源コード収納具を一端面側から見た平面図である。
【図３】図１に示す電源コード収納具を他端面側から見た平面図である。
【図４】図１に示す電源コード収納具の使用状態の一例を示す側面図である。
【図５】図１に示す電源コード収納具の使用状態の別例を示す側面図である。
【符号の説明】
【００４５】
１    電源コード収納具
２    軸体
３    一端部
４    他端部
５    第１の突片
６    第２の突片
７    磁石
８    ビス
９    プラグ差込み口
１０    ソケット
１１    設定ノブ
１２    表示部
１３    スイッチ
２０    接続コード
２１    メガネ型プラグ
２２    プラグ
３０    電気機器
３１    電源コード
３２    電源プラグ
４０    電源コンセント
５０    机
５１    脚
【図１】
2007234929.tif 000003
【図２】
2007234929.tif 000004
【図３】
2007234929.tif 000005
【図４】
2007234929.tif 000006
【図５】
2007234929.tif 000007